【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
プログラムを記憶するプログラム記憶手段に記憶されたプログラムに従った処理を実行するマイクロコンピュータにおいて、
割込にもとづいて割込プログラムに従った処理を実行する割込処理実行手段と、
前記プログラム記憶手段における割込プログラムのアドレスを記憶可能な記憶領域を有するアドレス記憶手段と、
前記アドレス記憶手段の記憶領域で記憶しているアドレスが所定の範囲にあるか否かを前記マイクロコンピュータの起動時に判定する判定手段と、
割込プログラムのアドレスが所定の範囲にないと前記判定手段が判定したときに前記マイクロコンピュータを起動させない起動禁止手段と、
複数のタイマ値格納領域が設けられ、データを記憶するデータ記憶手段と、
複数種類の計時条件のうちいずれかの種類の計時条件が成立したときに、該計時条件に応じたタイマ値格納領域に該計時条件に応じたタイマ値を格納するタイマ値格納手段と、
所定周期毎に複数のタイマ値格納領域に格納されたタイマ値を更新可能なタイマ値更新手段とを備え、
複数のタイマ値格納領域には、所定の規則で連続するアドレスが割り当てられ、
前記タイマ値更新手段は、タイマ値更新処理を繰り返し実行することで複数種類のタイマ値を更新可能であり、
前記タイマ値更新処理は、所定の演算を行うことによりタイマ値格納領域に対する指定アドレスを変更する処理を含む、マイクロコンピュータ。
【手続補正２】
【補正対象書類名】明細書
【補正対象項目名】発明の名称
【補正方法】変更
【補正の内容】
【発明の名称】マイクロコンピュータ
【手続補正３】
【補正対象書類名】明細書
【補正対象項目名】０００１
【補正方法】変更
【補正の内容】
【０００１】
本発明は、マイクロコンピュータに関する。
【手続補正４】
【補正対象書類名】明細書
【補正対象項目名】０００２
【補正方法】変更
【補正の内容】
【０００２】
割込ベクタ定義領域に割込発生時における割込アドレスを定義する１チップＣＰＵを備える遊技機があった。
【手続補正５】
【補正対象書類名】明細書
【補正対象項目名】０００３
【補正方法】変更
【補正の内容】
【０００３】
【特許文献１】特開２００２−５２２１５号公報（段落００３３など）
【手続補正６】
【補正対象書類名】明細書
【補正対象項目名】０００４
【補正方法】変更
【補正の内容】
【０００４】
特許文献１に記載の１チップＣＰＵには改良の余地があった。
【手続補正７】
【補正対象書類名】明細書
【補正対象項目名】０００５
【補正方法】変更
【補正の内容】
【０００５】
本発明は、意図しない割込が発生することを防止するマイクロコンピュータを提供することを目的とする。
【手続補正８】
【補正対象書類名】明細書
【補正対象項目名】０００６
【補正方法】変更
【補正の内容】
【０００６】
（Ａ）  プログラムを記憶するプログラム記憶手段に記憶されたプログラムに従った処理を実行するマイクロコンピュータにおいて、
割込にもとづいて割込プログラムに従った処理を実行する割込処理実行手段と、
前記プログラム記憶手段における割込プログラムのアドレスを記憶可能な記憶領域を有するアドレス記憶手段と、
前記アドレス記憶手段の記憶領域で記憶しているアドレスが所定の範囲にあるか否かを前記マイクロコンピュータの起動時に判定する判定手段と、
割込プログラムのアドレスが所定の範囲にないと前記判定手段が判定したときに前記マイクロコンピュータを起動させない起動禁止手段と、
複数のタイマ値格納領域が設けられ、データを記憶するデータ記憶手段と、
複数種類の計時条件のうちいずれかの種類の計時条件が成立したときに、該計時条件に応じたタイマ値格納領域に該計時条件に応じたタイマ値を格納するタイマ値格納手段と、
所定周期毎に複数のタイマ値格納領域に格納されたタイマ値を更新可能なタイマ値更新手段とを備え、
複数のタイマ値格納領域には、所定の規則で連続するアドレスが割り当てられ、
前記タイマ値更新手段は、タイマ値更新処理を繰り返し実行することで複数種類のタイマ値を更新可能であり、
前記タイマ値更新処理は、所定の演算を行うことによりタイマ値格納領域に対する指定アドレスを変更する処理を含む。
また、手段１のスロットマシンは、
各々が識別可能な複数種類の識別情報を変動表示可能な可変表示部（リール２Ｌ、２Ｃ、２Ｒ）を備え、
前記可変表示部（リール２Ｌ、２Ｃ、２Ｒ）の変動表示を停止することで表示結果を導出し、該表示結果に応じて入賞が発生可能なスロットマシン（スロットマシン１）において、
表示結果が導出される前に、導出が許容される表示結果を決定する事前決定手段（内部抽選）と、
遊技者が表示結果を導出させるために操作する導出操作手段（ストップスイッチ８Ｌ、８Ｃ、８Ｒ）と、
前記事前決定手段の決定結果が特定結果（リプレイＧＲ１〜６、リプレイＧＲ１１〜１６）となり、前記導出操作手段（ストップスイッチ８Ｌ、８Ｃ、８Ｒ）が特定の操作態様（当選しているリプレイＧＲ１〜６、リプレイＧＲ１１〜１６に応じた停止順）で操作されたときに特定表示結果（赤７揃いリプレイ、赤７取りこぼしリプレイ、青７揃いリプレイ、青７取りこぼしリプレイ）を導出する制御を行い、前記導出操作手段（ストップスイッチ８Ｌ、８Ｃ、８Ｒ）が前記特定の操作態様（当選しているリプレイＧＲ１〜６、リプレイＧＲ１１〜１６に応じて、赤７揃いリプレイまたは青７揃いリプレイを入賞させることが可能な停止順）以外の操作態様で操作されたときに前記特定表示結果以外の表示結果（中段リプレイ）を導出する制御を行う特定導出制御手段と、
前記特定表示結果（赤７揃いリプレイ、赤７取りこぼしリプレイ、青７揃いリプレイ、青７取りこぼしリプレイ）が導出されたことにより遊技者にとって有利な有利状態（上乗せ状態）に制御する有利状態制御手段と、
前記有利状態（上乗せ状態）への移行条件（上乗せ状態抽選で当選すること）が成立した後、前記特定表示結果（赤７揃いリプレイ、赤７取りこぼしリプレイ、青７揃いリプレイ、青７取りこぼしリプレイ）が導出されるまでの移行待ち期間（準備状態）において前記事前決定手段（内部抽選）の決定結果が前記特定結果（リプレイＧＲ１〜６、リプレイＧＲ１１〜１６）となったときに、前記特定の操作態様（赤７揃いリプレイ、青７揃いリプレイを入賞可能な停止順）を特定可能に報知する特定報知（赤７ナビ、青７ナビ）を実行可能な特定報知実行手段と、
前記移行待ち期間（準備状態）において該移行待ち期間以外の所定期間（準備状態に制御されていない通常状態、ＡＲＴ状態）よりも遊技者にとって有利に制御する有利制御手段と、
前記移行待ち期間（準備状態）において前記事前決定手段の決定結果（内部抽選）が前記特定結果（リプレイＧＲ１〜６、リプレイＧＲ１１〜１６）となったときに前記特定表示結果が導出されないようにまたは導出され難いように制御する特定表示結果導出制限手段（中段リプレイを入賞させることが可能な停止順を報知する特定ナビ報知を行う）と、
を備える
ことを特徴としている。
この特徴によれば、移行待ち期間において該移行待ち期間以外の所定期間よりも遊技者にとって有利に制御する構成において、事前決定手段の決定結果が特定結果となった場合でも、特定表示結果が導出されないようにまたは導出され難いように制御することで、移行待ち期間、すなわち遊技者にとって有利に制御される期間を引き延ばすことが可能となるため、移行待ち期間における興趣を高めることができる。